(57)【要約】      （修正有） 【課題】建物のエントランス、待合ホール、通路などの空間の景観を良くする出入口用に、色彩、絵柄が変形せずに種々の模様を表現でき、フロントヤード側景観の一体化を可能にした片面プリント鋼鈑ドアを提供する。【解決手段】出入口に使用される片面プリント鋼板ドアにおいて、フロントヤード側見付面に当たる表面部に多彩な繊細な模様を持つ化粧板であるプリント鋼鈑の端部を直角折り曲げであるコの字状、又はくの字状に折り曲げて小口接合型片面表面板を長方体形状の枠体に形成し、プリント鋼鈑の直角折り曲げ部の面にバーリング加工してビス止めできるような穴部を設けて、長方体形状の枠体の小口面の接合見込片面をビス止めによって持着させ、プリント鋼板見付面に当たる表面部の面張的表面性を維持するために、鉄製骨組み心材を骨組みの両側から挟み込み、長方体形状の枠体内に縦方向にコの字状の補強鋼材を適切な間隔に張り付けている。【選択図】図３
0003235460.tif 000002
【実用新案登録請求の範囲】
【請求項１】
出入口に使用される片面プリント鋼板ドアにおいて、フロントヤード側見付面に当たる表面部に多彩な繊細な模様を持つ化粧板であるプリント鋼鈑の端部を直角折り曲げであるコの字状、又はくの字状に折り曲げて小口接合型片面表面板を長方体形状の枠体に形成し、プリント鋼鈑の直角折り曲げ部の面にバーリング加工してビス止めできるような穴部を設けて、長方体形状の枠体の小口面の接合見込片面をビス止めによって持着させ、
バックヤード側見付面に当たる表面部にはめっき処理鋼鈑の端部を直角折り曲げであるコの字状、又はくの字状に折り曲げて小口接合型片面表面板を長方体形状の枠体に形成し、小口接合部の凹凸を揃えて、両者を突き合わせ組み立て、
前記プリント鋼板見付面に当たる表面部の面張的表面性を維持するために、鉄製骨組み心材を前記骨組みの両側から挟み込み、前記長方体形状の枠体内に縦方向にコの字状の補強鋼材を適切な間隔に張り付けていることを特徴とするプリント鋼鈑ドア。
【請求項２】
前記プリント鋼鈑長方体形状の枠体は、厚さ０．６〜１ｍｍ、高さ２０〜２５ｍｍのコの字状鋼材で、横幅８００〜１２００ｍｍ、縦長さ１８００〜２２００ｍｍの寸法であり、プリント鋼鈑のドア小口面に当たる接合見込面の折り曲げ部にバーリング加工し、均一にネジ固定できる穴部に密着接合させて、前記鉄製骨組み心材である上下側力骨のコの字鋼材と左右側力骨のコの字補強鋼材とを組み、内側の縦方向に２５０ｍｍ以内の間隔で、面張的表面性を維持できるコの字状の補強鋼材を嵌め込んで組立てた心材にネジ止めで持着させていることを特徴とする請求項１に記載のプリント鋼鈑ドア。
【請求項３】
プリント鋼鈑ドアの小口面の戸先部では、コの字状の直角折り曲げて接合見込片面を形成して、小口面の戸尻部では、直角くの字状に折り曲げて接合見込片面を形成し、裏面のメッキ処理鋼鈑小口の接合見込片面との接合では、戸先部でコの字状の直角折り曲げの片側一面同志で接合し、戸尻部で直角くの字状折り曲げ両先端部で接合を行い、直角折り曲げの片側一面同志の接合面の密着及び枠体への固着、並びにネジの頭の突出部の低減を行うことによって、戸先部の小口面に隙間及び凹凸状態を極力なくしていることを特徴とする請求項１、又は請求項２に記載のプリント鋼鈑ドア。
【請求項４】
前記片面プリント鋼鈑ドア長方体形状の枠体の内部に嵌め込んだ１〜３ｍｍ厚さのコの字状の補強長手鋼材は、見付面におけるプリント鋼鈑の全面的に表面性と平盤性を高めるために、縦方向に２００ｍｍ以内の間隔で４〜６本貼り付け、縦方向にコの字状の補強長手鋼材を張り付けた各空隙部の面積で０．１〜０．３ｍ２(平方メートル)以内の一区画になるように横方向に１〜３本のコの字状の補強横手鋼材を設けていることを特徴とする請求項１〜請求項３のいずれかに記載のプリント鋼鈑ドア。
【請求項５】
前記プリント鋼鈑は、厚さが０．６〜１ｍｍであり、１〜４ｍ２の平面において、複合装飾性シートとしてレンガ積み模様、ブロック積み模様、タイル張り模様、モルタル塗り模様、及び岩石模様、並びに金属の表面状態模様、及びセラミック調模様とさび調模様における無機質の表面装飾性模様、市松模様、格子模様、木目模様、鉱物模様、単色濃厚色模様、文字入り模様、写真入り模様  数字入り模様、絵画模様を描いていることを特徴とする請求項１〜請求項４のいずれかに記載の片面プリント鋼鈑ドア。
【考案の詳細な説明】
【技術分野】
【０００１】
本考案は、建物のエントランス、待合ホール、通路などの空間の景観を良くする出入口建具に関する、詳しくはフロントヤード側表面板にフロントヤード側の仕上げ材と同じ装飾にプリントされた色彩、絵柄が変形せずに種々の模様を表現できるプリント鋼鈑ドアを設置し、フロントヤード側景観の一体化を可能にした片面プリント鋼鈑ドアの組み方の提供に関するものである。
【背景技術】
【０００２】
一般にプリント鋼鈑ドアは、一方の見付面を形成する面部と、該面部の端部に形成した見込片と、を備えた第１表面材と、ドアの他方の見付面を形成する面部と、該面部の端部に形成した見込片と、を備えた第２表面材との間に充填材を入れ、小口面で部材をかしめ或いは嵌め込み式で連結することで組み立てられる。その場合には９０度以上の角度で屈曲されるために、プリントの変形をもたらされる。
【０００３】
又、鋼製ドアは、ドアの一方の見付面を形成する面部と、該面部の端部に形成した見込片と、を備えた第１表面材と、ドアの他方の見付面を形成する面部と、該面部の端部に形成した見込片と、を備えた第２表面材とを鉄製骨組み心材を介して、ドア小口面を溶接し、連結することで組み立てられる。連結手段としては、溶接は熟練が必要であると共に、さらに溶接後にはサンダー仕上げやパテ仕上げが必要となるため、作業効率が悪い。
【０００４】
溶接手段以外の連結手段として嵌め込み式工法、ビスネジ止め工法が挙げられる。ビスネジ止めは溶接のように特殊技能を必要としないため、熟練を要せずに組立作業が可能であるという利点があるが、ネジで表面材同士を連結する場合には、螺子頭が露出することを避けるために、パテ仕上げが必要となる。パテ仕上げには、ある程度の技能が必要であり、また作業効率が悪い点では、溶接手段と同様である。さらにその他の連結手段としては、部材同士を係合ないし嵌合させる手段がある（特許文献１，２参照）。
【０００５】
現場に持ち込むべき部材点数が少なく、簡単に作業が済み、壁開口部周辺の壁を傷付ける可能性が低く、また変更容易なドア構造を得るために、左右１対の縦枠材およびこれら縦枠材間に挟み込む横枠材よりなる枠材を有し、双方の縦枠材に戸当たりを設け、一方の縦枠材にドア体をヒンジ連結し、他方の縦枠材にドアラッチ金具および戸当たりを設けるドア額縁を具え、壁開口部に取り付けるドア構造は、ドア額縁の枠材を壁開口内面にビス止めする枠本体であり、壁の一方の側面側に面する第１額縁枠材を一体に固定した枠本体と、壁の一方の側面側に面して枠本体に組み付ける第２額縁枠材により構成し、枠本体または第２額縁部材に、戸当り部を一体に設けたものものとして構成する。ドア額縁およびドア体は一体ユニットの組立体として構成したものが提案されている（特許文献３参照）。
【０００６】
一般的鋼材の扉体の組立構造において、部材同士の位置決め、及び、コーナー部に生じる隙間に起因する問題を同時に解決することを目的として、第１部材、第２部材の側面部の上下端部の余端部を折曲することで、扉体の上面部、下面部の左右端部の一部を形成する。第１面部と第２面部とを対向させて、当接部同士を当接させ、第１上面部と第２上面部の端縁同士、第１下面部と第２下面部の端縁同士を突き合せた状態で、突片が凹部に嵌り合うと共に、突片は、当接部の上下端縁に外側から当接する方法が示されている（特許文献４参照）。
【０００７】
扉体の組み立てにおいて左側パネル要素と右側パネル要素からパネル体を組み立てる際に、省スペースで組立作業を可能とするために、戸先側扉要素の戸尻側部位は、戸尻側扉要素の戸先側部位に扉体の幅方向から接続可能に構成されており、戸尻側扉要素の戸尻側部位をドア枠に回動可能に支持させる工程と、ドア枠に戸尻側部位が回動可能に支持された戸尻側扉要素の戸先側部位に、戸先側扉要素の戸尻側部位を接続する工程と、からなる扉体の組立方法の提案がある（特許文献５参照）。
【０００８】
家屋等における鋼材製のドア構成について、使用する鋼材における耐久性、耐火性等に基づく良さを維持しながら、鋼材製ドア構成における質感による重厚感が出すぎて意匠性が乏しくなる等の欠点を改善することにある。この欠点を解決させるためにドアを構成する扉部である親扉と子扉、この扉部の枠部である縦枠、上枠及び下枠並びにこの枠部に沿って家屋外部に設けられた額縁部である額縁上部、額縁縦部及び額縁縦部がそれぞれ木調模様の表面を有する鋼板材からなる模様入り鋼材ドアの提案なされている（特許文献６参照）。
【０００９】
一般に片面プリント鋼鈑ドアは少なく、色彩、模様をプリントしたシートを鋼板に貼り付けた鋼鈑ドアに仕上げることが難しく、溶接による表面の変形、あるいは表面性を欠くことが多くなっている。そのために市場にプリント鋼鈑ドアの出現は非常に少ない状態である。またプリント鋼鈑も限定的であって、幅広い模様の図柄の鋼鈑は存在していない。
【先行技術文献】
【特許文献】
【００１０】
【特許文献１】実公昭６１−７３５７号公報
【特許文献２】特開平９−８８４４４号公報
【特許文献３】実用新案登録第３１１９３５０号公報
【特許文献４】特開２０１０−３１４９号公報
【特許文献５】特開２０２１−５５３４２号公報
【特許文献６】特開２０００−４５６４５号公報
【考案の開示】
【考案が解決しようとする課題】
【００１１】
本考案は、プリント鋼鈑長方体形状の枠体の接合はネジ゛止めを採用するものでありながらプリント鋼鈑とメッキ処理鋼鈑との接合部においても、隙間を少なくしたプリント鋼鈑ドア組立構造を提供して、有効なプリント画面も欠損もなく、平面性を維持したものを製作できるプリント鋼鈑ドアを提供することを目的とするものである。
【００１２】
プリント鋼鈑は、溶接が難しいく、また通常に採用されている鋼鈑同志のかしめ或いは嵌め込み式で、プリント表面材を鋼板の枠材に接合するために、屈曲度を９０度以上の１８０度以内角度で屈折させることから、プリント表面図柄・模様の変形をもたらされる。このようにプリント図形、模様の欠損を少なく、平面性を維持させることである。これらの問題点を解決することを課題としている。
【課題を解決するための手段】
【００１３】
出入口に使用される片面プリント鋼板ドアにおいて、フロントヤード側見付面に当たる表面部に多彩な繊細な模様を持つ化粧板であるプリント鋼鈑の端部を直角折り曲げであるコの字状、又はくの字状に折り曲げて小口接合型片面表面板を長方体形状の枠体に形成し、プリント鋼鈑の直角折り曲げ部の面にバーリング加工してビス止めできるような穴部を設けて、長方体形状の枠体の小口面の接合見込片面をビス止めによって持着させ、
バックヤード側見付面に当たる表面部にはメッキ処理鋼鈑の端部を直角折り曲げであるコの字状、又はくの字状に折り曲げて小口接合型片面表面板を長方体形状の枠体に形成し、小口接合部の凹凸を揃えて、両者を突き合わせ組み立て、
前記プリント鋼板見付面に当たる表面部の面張的表面性を維持するために、鉄製骨組み心材を前記骨組みの両側から挟み込み、前記長方体形状の枠体内に縦方向にコの字状の補強鋼材を適切な間隔に張り付けているプリント鋼鈑ドアである。
【００１４】
前記プリント鋼鈑長方体形状の枠体は、厚さ０．６〜１ｍｍ、高さ２０〜２５ｍｍのコの字状鋼材で、横幅８００〜１２００ｍｍ、縦長さ１８００〜２２００ｍｍの寸法であり、プリント鋼鈑のドア小口面に当たる接合見込面の折り曲げ部にバーリング加工し、均一にネジ固定できる穴部に密着接合させて、前記鉄製骨組み心材である上下側力骨のコの字鋼材と左右側力骨のコの字補強鋼材とを組み、内側の縦方向に２５０ｍｍ以内の間隔で、面張的表面性を維持できるコの字状の補強鋼材を嵌め込んで組立てた心材にネジ止めで持着させている。
【００１５】
プリント鋼鈑ドアの小口面の戸先部では、コの字状の直角折り曲げて接合見込片面を形成して、小口面の戸尻部では、直角くの字状に折り曲げて接合見込片面を形成し、裏面のメッキ処理鋼鈑小口の接合見込片面との接合では、戸先部でコの字状の直角折り曲げの片側一面同志で接合し、戸尻部で直角くの字状折り曲げ両先端部で接合を行い、直角折り曲げの片側一面同志の接合面の密着及び枠体への固着、並びにネジの頭の突出部の低減を行うことによって、戸先部の小口面に隙間及び凹凸状態を極力なくしている。
【００１６】
前記片面プリント鋼鈑ドア長方体形状の枠体の内部に嵌め込んだ１〜３ｍｍ厚さのコの字状の補強長手鋼材は、見付面におけるプリント鋼鈑の全面的に表面性と平盤性を高めるために、縦方向に２００ｍｍ以内の間隔で４〜６本貼り付け、縦方向にコの字状の補強長手鋼材を張り付けた各空隙部の面積で０．１〜０．３ｍ２以内の一区画になるように横方向に１〜３本のコの字状の補強横手鋼材を設けている。
【００１７】
前記プリント鋼鈑は、厚さが０．６〜１ｍｍであり、１〜４ｍ２の平面において、複合装飾性シートとしてレンガ積み模様、ブロック積み模様、タイル張り模様、モルタル塗り模様、及び岩石模様、並びに金属の表面状態模様、及びセラミック調模様とさび調模様における無機質の表面装飾性模様、市松模様、格子模様、木目模様、鉱物模様、単色濃厚色模様、文字入り模様、写真入り模様  数字入り模様、絵画模様を描いている。
【考案の効果】
【００１８】
本考案では、プリント鋼鈑長方体形状の枠体の接合において、ネジ゛止めを採用することにより、プリント鋼鈑とメッキ処理鋼鈑との異種な表面板部材の接合部に、隙間をより小さくしたプリント鋼鈑ドア組立構造にし、有効な化粧板であるプリント画面にも欠損もなく、図柄のゆがみ無い平面性を維持したプリント鋼鈑ドアを提供できた。
【００１９】
プリント鋼鈑長方体形状の枠体の接合において、ネジ止め用穴加工部にバーリング加工をし、ネジ山のかかりと鉄製骨組み心材との間隔も確保し、裏板を無くすことができ、又プリント鋼板裏面の空洞面積を設定面積以下になるように、鉄製骨組み心材の配置をし、通常化粧鋼鈑ドアに必要な充填材を無くすことができた。片面プリント鋼鈑の表面板、もう片面はメッキ処理鋼板の表面板をドア小口面でネジ止めより連結し、表面板の厚さの違いからくる変形もなく、均一な表面性を維持したプリント鋼鈑ドアとなった。
【図面の簡単な説明】
【００２０】
【図１】プリント鋼鈑ドアの取り付けられた空間をイメージした廊下壁空間を示す斜視図である。        Ａはプリント鋼鈑ドアを閉めた状態のイメージした斜視図        Ｂはプリント鋼鈑ドアを開いた状態のイメージした斜視図
【図２】プリント鋼鈑ドアのドア寸法の小さいサイズの組み立て構成斜視図及び組み立て完了の斜視図である。        Ａはプリント鋼鈑の機械加工完了した部材斜視図        Ｂは鉄製骨組み心材の組み方及び金具補強部材の斜視図        Ｃはめっき処理鋼鈑の機械加工完了した部材斜視図        Ｄはプリント鋼鈑組立完了を示す斜視図である。
【図３】プリント鋼鈑ドアのドア寸法の大きいサイズの組み立て構成斜視図及び組み立て完了の斜視図である。        Ａはプリント鋼鈑の機械加工完了した部材斜視図        Ｂは鉄製骨組み心材の組み方の斜視図        Ｃはめっき処理鋼鈑の機械加工完了した部材斜視図        Ｄはプリント鋼鈑組立完了を示す斜視図である。
【図４】プリント鋼鈑ドアの組み立て完了の立面姿図である。        Ａはドア寸法の大きいサイズ、プリント鋼鈑表面板側からの立面図        Ｂはドア寸法の大きいサイズ、めっき処理鋼鈑表面板側からの立面図        Ｃはドア寸法の小さいサイズ、プリント鋼鈑表面板側からの立面図        Ｄはドア寸法の小さいサイズ、めっき処理鋼鈑表面板側からの立面図
【図５】プリント鋼鈑ドアの縦及び横断面図、及びプリント鋼鈑補強間面張的表面性を示す横断面図である。Ａはドアの組み立て構成部材の縦断面図を示す。        Ｂはドアの組み立て構成部材の横断面図を示す。        Ｃはドアの補強間の正常な面張的表面性を示す。        Ｄはドアの補強間の正常でない面張的表面性を示す。
【図６】プリント鋼鈑ドアの構成部材の拡大横断面図である。        Ａはプリント鋼鈑ドアの構成部材の拡大横断面図戸先側を示す。        Ｂはプリント鋼鈑ドアの構成部材の拡大横断面図戸尻側を示す。
【考案を実施するための形態】
【００２１】
図１に示すように建物のエントランス、待合ホール、通路などの大空間に設置される出入口建具において、塗装仕上げでは壁面仕上げ材の色彩、絵柄に同化させることが出来ない。そこでフロントヤード側ドア表面板にフロントヤード側の仕上げ材と同じ装飾にプリントされ、色彩、絵柄が変形せずに種々の模様を表現できるプリント鋼鈑を表面板に利用することで、前記大空間に同化させることができる。
図２に示すようにドアの小口を形成する箇所でジョイント出来るように加工したプリント鋼鈑表面板とめっき処理鋼鈑表面板で鉄製骨組み心材を包み込むように組み合わせてドアを組み立てる。組み合わせにおいて、めっき処理鋼鈑と鉄製骨組み心材は溶接にて組み上げ、プリント鋼鈑と鉄製骨組み心材は構造用粘着テープ及び小口面バーリング加工部ねじ固定にて組み上げる。
図３に示すように鉄製骨組み心材はプリント鋼鈑表面板に補強間面帳的表面性を阻害するひずみなどが生じない間隔で組み上げる。
図４に示すように鉄製骨組み心材はプリント鋼鈑表面板に補強間面帳的表面性を阻害するひずみなどが生じさせないと同時に錠前やドアクローザーなどの金物を取り付ける補強裏板も取り付けをしている。なお、錠前部の補強材は箱型にし、通常ものより大きくし、防犯性能をたかめる。
図５に示すようにドアの小口部分でジョイントさせ、めっき処理鋼鈑と鉄製骨組み心材は溶接にて組み上げ、プリント鋼鈑と鉄製骨組み心材は構造用粘着テープ及び小口面バーリング加工部ねじ固定にて組み上げる。この際、戸先側はコの字曲げ部分の凹凸を確認しながら突き当て、戸尻側及び上下側はくの字曲げ部分の凹凸を確認しながら突き当てて組み上げる。また戸先側突き合わせ部については、板厚による曲げアールを同じになるように、めっき処理鋼鈑にプレーナー加工をしている。
図６は組立時におけるプリント鋼鈑端部コの字及びくの字曲げ状態、めっき処理鋼鈑端部のコの字及びくの字曲げ状態、鉄骨製骨組み心材の状態、溶接固定位置、構造用粘着テープ位置、バーリング加工状態、ねじ固定状態を示す。
【実施例１】
【００２２】
通路壁面の仕上げに計画されている図柄と同じ図柄のプリント鋼鈑を使用し、出入口用プリント鋼鈑ドアを製作した。厚さ０．８ｍｍのプリント鋼鈑及び厚さ１．６ｍｍのめっき処理鋼板を製作寸法に切断し、ＮＣマシンで部材を組み立てるのに必要な穴あけ、切り欠き、バーリング加工を施し、プリント鋼鈑及びめっき処理鋼板の端部を直角折り曲げであるコの字状、又はくの字状に折り曲げて接合見込片面を形成して、長方体形状の枠体であるフロントヤード側表面板及びバックヤード側表面板の２枚の表面板部材を製作した。
【００２３】
一方の長方体形状の枠体は、幅８００ｍｍ、高さ１９００ｍｍ、見込み部２０ｍｍとし、プリント鋼鈑表面板の扉先側小口面では、コの字状の直角折り曲げて接合見込片面を形成して、扉尻側及び上下側の小口面では、直角くの字状に折り曲げて接合見込片面を形成し、接合見込面にはバーリング加工してねじ止めで持着できるようにし、もう一方の長方体形状の枠体も、幅８００ｍｍ、高さ１９００ｍｍ、見込み部２０ｍｍとし、めっき処理鋼鈑表面板の扉先側小口面では、コの字状の直角折り曲げて接合見込片面を形成して、扉尻側及び上下側の小口面では、直角くの字状に折り曲げて接合見込片面を形成した。
【００２４】
鉄製骨組み心材は四周の力骨は厚さ２．３ｍｍ、中央の中骨は厚さ１．６ｍｍのめっき処理鋼板を使い、戸先力骨は柄杓形状に、上下及び戸尻力骨はコの字形状に、中骨もコの字形状に曲げ加工し、４〜５本を製作した。中骨は厚さ０．８ｍｍのプリント鋼鈑の面張的表面性を優先し、面張的表面性を維持できる間隔１６０ｍｍ以内の寸法で本数を決定した。上下側力骨のコの字鋼材と左右側力骨のコの字鋼材とを組み立てて内部の縦方向に１６０ｍｍ以内の間隔で長手補強コの字鋼材を嵌め込んで形成した。
【００２５】
次にめっき処理鋼板表面板部材に鉄製骨組み心材を組み込み、溶接を使い、所定の箇所に所定ののど厚、脚長にて固定した。錠前部分にはプリント鋼鈑表面板側の補強を兼ねた箱状の取り付け固定用の座部材を取り付けた。固定に際し、プリント鋼鈑表面板の面帳的平盤性に影響が出ないように、ひずみを計算にいれた溶接順序、溶接方法で製作を行った。
【００２６】
めっき処理鋼板表面板に鉄製骨組み心材を組み込んで形成したドア部材に機械加工の完了したプリント鋼鈑表面板を被せて、小口面の凹凸が出ないように小口部で合わせ組み込みをし、周囲はバーリング加工した穴加工部よりネジ止め、表面板裏面は構造用粘着テープを使用し、鉄製骨組み心材に持着した。前記プリント鋼鈑は、厚さが０．８ｍｍであり、ブラウン色の木目調の模様を使用し、壁に取り付けた際、壁の模様に同化するドアに製作する出来た。
【実施例２】
【００２７】
エントランス壁面の仕上げに計画されている図柄と同じ図柄のプリント鋼鈑を使用し、出入口用プリント鋼鈑ドアを製作した。厚さ０．６ｍｍのプリント鋼鈑及び厚さ１．６ｍｍのめっき処理鋼板を製作寸法に切断し、ＮＣマシンで部材を組み立てるのに必要な穴あけ、切り欠き、バーリング加工を施し、プリント鋼鈑及びめっき処理鋼板の端部を直角折り曲げであるコの字状、又はくの字状に折り曲げて接合見込片面を形成して、長方体形状の枠体であるフロントヤード側表面板及びバックヤード側表面板の２枚の表面板部材を製作した。
【００２８】
一方の長方体形状の枠体は、幅９５０ｍｍ、高さ２１００ｍｍ、見込み部２２．５ｍｍとし、プリント鋼鈑表面板の扉先側小口面では、コの字状の直角折り曲げて接合見込片面を形成して、扉尻側及び上下側の小口面では、直角くの字状に折り曲げて接合見込片面を形成し、接合見込面にはバーリング加工してねじ止めで持着できるようにし、もう一方の長方体形状の枠体も、幅９５０ｍｍ、高さ２１００ｍｍ、見込み部２２．５ｍｍとし、めっき処理鋼鈑表面板の扉先側小口面では、コの字状の直角折り曲げて接合見込片面を形成して、扉尻側及び上下側の小口面では、直角くの字状に折り曲げて接合見込片面を形成した。
【００２９】
鉄製骨組み心材は四周の力骨は厚さ２．３ｍｍ、中央の中骨は厚さ１．６ｍｍのめっき処理鋼板を使い、戸先力骨は柄杓形状に、上下及び戸尻力骨はコの字形状に、中骨もコの字形状に曲げ加工し、４〜５本を製作した。中骨は厚さ０．８ｍｍのプリント鋼鈑の面張的表面性を優先し、面張的表面性を維持できる間隔１６０ｍｍ以内の寸法で本数を決定した。上下側力骨のコの字鋼材と左右側力骨のコの字鋼材とを組み立てて内部の縦方向に１６０ｍｍ以内の間隔で長手補強コの字鋼材を嵌め込み、内部横方向に約７００ｍｍ間隔でコの字形状の中間横骨を嵌め込んで形成した。
【００３０】
次にめっき処理鋼板表面板部材に鉄製骨組み心材を組み込み、溶接を使い、所定の箇所に所定ののど厚、脚長にて固定した。錠前部分にはプリント鋼鈑表面板側の補強を兼ねた箱状の取り付け固定用の座部材を取り付けた。固定に際し、プリント鋼鈑表面板の面帳的平盤性に影響が出ないように、ひずみを計算にいれた溶接順序、溶接方法で製作を行った。
【００３１】
めっき処理鋼板表面板に鉄製骨組み心材を組み込んで形成したドア部材に機械加工の完了したプリント鋼鈑表面板を被せて、小口面の凹凸が出ないように小口部で合わせ組み込みをし、周囲はバーリング加工した穴加工部よりネジ止め、表面板裏面は構造用粘着テープを使用し、鉄製骨組み心材に持着した。前記プリント鋼鈑は、厚さが０．８ｍｍであり、アイボリ色の無地調の模様の鋼板を使用し、壁と一体化し、出入口建具を目立たないように施工できた。
【実施例３】
【００３２】
待合ホール壁面の仕上げに計画されている図柄と同じ図柄のプリント鋼鈑を使用し、出入口用プリント鋼鈑ドアを製作した。厚さ０．８ｍｍのプリント鋼鈑及び厚さ１．６ｍｍのめっき処理鋼板を製作寸法に切断し、ＮＣマシンで部材を組み立てるのに必要な穴あけ、切り欠き、バーリング加工を施し、プリント鋼鈑及びめっき処理鋼板の端部を直角折り曲げであるコの字状、又はくの字状に折り曲げて接合見込片面を形成して、長方体形状の枠体であるフロントヤード側表面板及びバックヤード側表面板の２枚の表面板部材を製作した。
【００３３】
一方の長方体形状の枠体は、幅９００ｍｍ、高さ２０００ｍｍ、見込み部２０ｍｍとし、プリント鋼鈑表面板の扉先側小口面では、コの字状の直角折り曲げて接合見込片面を形成して、扉尻側及び上下側の小口面では、直角くの字状に折り曲げて接合見込片面を形成し、接合見込面にはバーリング加工してねじ止めで持着できるようにし、もう一方の長方体形状の枠体も、幅９００ｍｍ、高さ２０００ｍｍ、見込み部２０ｍｍとし、めっき処理鋼鈑表面板の扉先側小口面では、コの字状の直角折り曲げて接合見込片面を形成して、扉尻側及び上下側の小口面では、直角くの字状に折り曲げて接合見込片面を形成した。
【００３４】
鉄製骨組み心材は四周の力骨は厚さ２．３ｍｍ、中央の中骨は厚さ１．６ｍｍのめっき処理鋼板を使い、戸先力骨は柄杓形状に、上下及び戸尻力骨はコの字形状に、中骨もコの字形状に曲げ加工し、４〜５本を製作した。中骨は厚さ０．８ｍｍのプリント鋼鈑の面張的表面性を優先し、面張的表面性を維持できる間隔１６０ｍｍ以内の寸法で本数を決定した。上下側力骨のコの字鋼材と左右側力骨のコの字鋼材とを組み立てて内部の縦方向に２００ｍｍ以内の間隔で長手補強コの字鋼材を嵌め込み、内部横方向に約６５０ｍｍ間隔でコの字形状の中間横骨を嵌め込んで形成した。
【００３５】
次にめっき処理鋼板表面板部材に鉄製骨組み心材を組み込み、溶接を使い、所定の箇所に所定ののど厚、脚長にて固定した。錠前部分にはプリント鋼鈑表面板側の補強を兼ねた箱状の取り付け固定用の座部材を取り付けた。固定に際し、プリント鋼鈑表面板の面帳的平盤性に影響が出ないように、ひずみを計算にいれた溶接順序、溶接方法で製作を行った。
【００３６】
めっき処理鋼板表面板に鉄製骨組み心材を組み込んで形成したドア部材に機械加工の完了したプリント鋼鈑表面板を被せて、小口面の凹凸が出ないように小口部で合わせ組み込みをし、周囲はバーリング加工した穴加工部よりネジ止め、表面板裏面は構造用接着剤を使用し、、鉄製骨組み心材に持着した。前記プリント鋼鈑は、厚さが０．８ｍｍであり、薄いブルー色の幾何学調模様を使用し、ドアを製作した。施工完了後、待合ホール壁面を落ち着いた雰囲気にすることができた。
【符号の説明】
【００３７】
ＰＤ１：プリント鋼鈑ドア
Ｗ１：  壁仕上げ面
Ｆ１：  床仕上げ面
ＴＪ１：天井仕上げ面
Ｊ１：  錠前
ＰＭ１：プリント鋼鈑表面板
Ｍ２：  めっき鋼鈑表面板
ＰＫ１：プリント鋼鈑端部コの字形状折り曲げ部
Ｋ１：  めっき鋼鈑端部コの字型形状折り曲げ部
ＰＫ２：プリント鋼鈑くの字型形状折り曲げ部
Ｋ２：  めっき鋼鈑くの字型形状折り曲げ部
Ｈ１：  鉄製骨組み心材上部力骨
Ｈ２：  鉄製骨組み心材下部力骨
Ｈ３：  鉄製骨組み心材戸先側縦力骨
Ｈ４：  鉄製骨組み心材戸尻側縦力骨
Ｎ１：  鉄製骨組み心材縦方向中骨
Ｎ２：  鉄製骨組み心材横方向中骨
ＪＢ１：錠前部箱型補強部材
ＢＫ１：プリント鋼鈑端部折り曲げ部バーリング加工
ＷＤ１：めっき鋼鈑表面板と鉄製骨組み心材溶接部
ＲＴ１：プリント鋼鈑表面板と鉄製骨組み心材接着部両面テープ
ＮＪ１：ねじ部材
ＪＢ１：錠前部箱型補強材
ＤＣ１：ドアクローザー部補強材
【図１】
0003235460.tif 000003
【図２】
0003235460.tif 000004
【図３】
0003235460.tif 000005
【図４】
0003235460.tif 000006
【図５】
0003235460.tif 000007
【図６】
0003235460.tif 000008